(57)【要約】【課題】待機モード時に有効状態にする最適受光センサとして、感度よく受光可能な受光センサを選定することを、簡単かつ確実に実施することができる画像投影装置、選定方法、およびプログラムを提供する。【解決手段】感度測定手段１０２は、ユーザによる所定の操作によってリモコンから送出された信号に対する複数の受光手段１０７の受光感度を測定し、判定手段１０３は、受光感度の強さについて順位を判定し、選定手段１０４は、受光感度の順位に基づいて、複数の受光手段１０７から最適受光センサを選定し、電源制御手段１０６は、最適受光センサである受光手段１０７のみを有効状態にし、それ以外の受光手段１０７の電源をオフ状態にして無効状態にする。【選択図】図２
2016019191.tif 000002
【特許請求の範囲】
【請求項１】
所定の操作により遠隔操作手段から送出された信号を受光する複数の受光手段と、
前記複数の受光手段における前記信号の受光感度を測定する感度測定手段と、
前記感度測定手段により測定された前記複数の受光手段の前記受光感度の強さについて順位を判定する判定手段と、
前記判定手段により判定された前記順位に基づいて、前記複数の受光手段から最適受光手段を選定する選定手段と、
待機モード時に、前記選定手段により前記最適受光手段として選定された前記受光手段を有効状態にし、前記最適受光手段以外の前記受光手段を無効状態にする電源制御手段と、
を備えた画像投影装置。
【請求項２】
前記感度測定手段は、前記複数の受光手段それぞれの内部で発生する前記受光感度の強さを反映した電気信号を取得して、前記電気信号の信号レベルを前記受光手段の前記受光感度として測定する請求項１に記載の画像投影装置。
【請求項３】
前記感度測定手段は、前記遠隔操作手段から送出された前記信号を受信した前記複数の受光手段が出力する出力信号のうち、有効データの数をカウントし、前記有効データのカウント数を前記受光手段の前記受光感度として測定する請求項１に記載の画像投影装置。
【請求項４】
前記選定手段によって前記最適受光手段として選定された前記受光手段の情報を記憶する記憶手段を、さらに備え、
前記電源制御手段は、前記待機モード時に、前記記憶手段から読み出した前記情報が前記最適受光手段として示す前記受光手段を有効状態にする請求項１〜３のいずれか一項に記載の画像投影装置。
【請求項５】
前記電源制御手段は、前記待機モード時に、前記記憶手段に前記最適受光手段として選定された前記受光手段の前記情報が記憶されていない場合、前記複数の受光手段のすべてを有効状態にする請求項４に記載の画像投影装置。
【請求項６】
前記所定の操作を指示する投影画像を投影対象物に投影する投影手段を、さらに備えた請求項１〜５のいずれか一項に記載の画像投影装置。
【請求項７】
所定の操作により遠隔操作手段から送出された信号を受光する複数の受光手段における前記信号の受光感度を測定する感度測定ステップと、
測定した前記複数の受光手段の前記受光感度の強さについて順位を判定する判定ステップと、
判定した前記順位に基づいて、前記複数の受光手段から最適受光手段を選定する選定ステップと、
待機モード時に、前記最適受光手段として選定した前記受光手段を有効状態にし、前記最適受光手段以外の前記受光手段を無効状態にする電源制御ステップと、
を有する選定方法。
【請求項８】
所定の操作により遠隔操作手段から送出された信号を受光する複数の受光手段を備えたコンピュータを、
前記複数の受光手段における前記信号の受光感度を測定する感度測定手段と、
前記感度測定手段により測定された前記複数の受光手段の前記受光感度の強さについて順位を判定する判定手段と、
前記判定手段により判定された前記順位に基づいて、前記複数の受光手段から最適受光手段を選定する選定手段と、
して機能させるプログラム。
【発明の詳細な説明】
【技術分野】
【０００１】
本発明は、画像投影装置、選定方法、およびプログラムに関する。
【背景技術】
【０００２】
近年、プロジェクタを使用して、床、テーブルおよび天井といった垂直面以外に画像を投影する需要が高まっており、様々な設置角度において設置を可能とするプロジェクタが開発されている。これらのプロジェクタには、遠隔操作を行う際に使われるリモートコントローラ（以下、単に「リモコン」という）の赤外線の操作信号を受光するため、複数の受光センサが、本体の異なる面にそれぞれ配置されている。これにより、プロジェクタがどのような角度に設置されても、受光センサの受光可能角度の狭さを、複数の受光センサを設置することにより補い、リモコンによる操作位置が受光可能範囲から外れないようにすることができる。
【０００３】
このような受光センサを複数搭載するプロジェクタにおいて、待機モード時においては、リモコンによる遠隔操作を可能にすべく、受光センサを有効状態（受光可能な状態）にしておく必要がある。しかし、一般的な受光センサは、有効状態となっている場合であって、リモコンから送出される赤外線の操作信号を受信していない場合においても、比較的大きい電力（例えば、３００［ｍＡ］程度）を消費する。したがって、受光センサを複数搭載するプロジェクタが、例えば、待機モード時において、すべての受光センサを有効状態にしておくと、消費電力が非常に大きくなる。昨今は省エネの規制レベルが厳格になっているので、特に待機モード時の消費電力を低減させる必要がある。
【０００４】
そこで、受光センサを複数搭載するプロジェクタにおいて、上述の省エネの規制レベルに沿うべく、待機モード時の消費電力を低減する目的で、待機モード時に有効状態にする受光センサを手動で選択し、それ以外の受光センサへの電力供給を遮断して無効状態にする技術が提案されている（特許文献１参照）。
【発明の概要】
【発明が解決しようとする課題】
【０００５】
しかし、特許文献１に記載された技術においては、待機モード時に、消費電力を低減するために、有効状態とする受光センサを選定し、それ以外の受光センサへの電源供給をオフにする場合、有効状態にした受光センサが実際の設置環境およびリモコンの操作位置等により、本当に最適な受光センサであるのかどうかが把握できないという問題点があった。例えば、天井等に設置されたプロジェクタは、プロジェクタ表面上の操作パネルを直接操作することが困難なため、有効状態にする最適な受光センサ（以下、最適受光センサという）として、確実に感度よく受光可能な受光センサを選定する必要がある。しかし、どの受光センサを有効状態に設定するべきなのかという情報がないため、最適でない（感度よく受光できない）受光センサを最適な受光センサとして設定してしまうという事態が発生しかねない。
【０００６】
本発明は、上記に鑑みてなされたものであって、待機モード時に有効状態にする最適受光センサとして、感度よく受光可能な受光センサを選定することを、簡単かつ確実に実施することができる画像投影装置、選定方法、およびプログラムを提供することを目的とする。
【課題を解決するための手段】
【０００７】
上述した課題を解決し、目的を達成するために、本発明は、所定の操作により遠隔操作手段から送出された信号を受光する複数の受光手段と、前記複数の受光手段における前記信号の受光感度を測定する感度測定手段と、前記感度測定手段により測定された前記複数の受光手段の前記受光感度の強さについて順位を判定する判定手段と、前記判定手段により判定された前記順位に基づいて、前記複数の受光手段から最適受光手段を選定する選定手段と、待機モード時に、前記選定手段により前記最適受光手段として選定された前記受光手段を有効状態にし、前記最適受光手段以外の前記受光手段を無効状態にする電源制御手段と、を備えたことを特徴とする。
【発明の効果】
【０００８】
本発明によれば、待機モード時に有効状態にする最適受光センサとして、感度よく受光可能な受光センサを選定することを、簡単かつ確実に実施することができる。
【図面の簡単な説明】
【０００９】
【図１】図１は、第１の実施の形態に係るプロジェクタのハードウェアの全体構成の一例を示す図である。
【図２】図２は、第１の実施の形態に係るプロジェクタの主要なブロック構成の一例を示す図である。
【図３】図３は、第１の実施の形態の受光センサの構成例と、受光センサとＭＰＵとの接続関係とを示す図である。
【図４】図４は、受光センサの各部の信号波形の一例を示す図である。
【図５】図５は、赤外線通信の通信フォーマットの一例を示す図である。
【図６】図６は、最適受光センサを選定する動作について説明する図である。
【図７】図７は、最適受光センサを選定する動作の一例を示すフローチャートである。
【図８】図８は、第１の実施の形態の最適受光センサを選定する動作において投影される投影画像の一例を示す図である。
【図９】図９は、第２の実施の形態に係るプロジェクタのハードウェアの全体構成の一例を示す図である。
【図１０】図１０は、第２の実施の形態に係るプロジェクタの主要なブロック構成の一例を示す図である。
【図１１】図１１は、第２の実施の形態の受光センサの構成例と、受光センサとＭＰＵとの接続関係とを示す図である。
【図１２】図１２は、第２の実施の形態の最適受光センサを選定する動作において投影される投影画像の一例を示す図である。
【発明を実施するための形態】
【００１０】
以下に、図面を参照しながら、本発明に係る画像投影装置、選定方法、およびプログラムの実施の形態を詳細に説明する。また、以下の実施の形態によって本発明が限定されるものではなく、以下の実施の形態における構成要素には、当業者が容易に想到できるもの、実質的に同一のもの、およびいわゆる均等の範囲のものが含まれる。さらに、以下の実施の形態の要旨を逸脱しない範囲で構成要素の種々の省略、置換、変更および組み合わせを行うことができる。
【００１１】
［第１の実施の形態］
（プロジェクタのハードウェア構成）
図１は、第１の実施の形態に係るプロジェクタのハードウェアの全体構成の一例を示す図である。図１を参照しながら、本実施の形態に係るプロジェクタ１のハードウェア構成について説明する。
【００１２】
図１に示すように、本実施の形態に係るプロジェクタ１は、画像データに基づいて、ランプ光を用いてスクリーン等の投影対象物に投影画像を投影させる画像投影装置である。プロジェクタ１は、光学エンジン１０と、コントローラ基板２０と、ランプ３０と、受光センサ４１、４２と、システム用電源５０と、ランプ用電源６０と、を備えている。
【００１３】
光学エンジン１０は、ＤＬＰ（登録商標）（Ｄｉｇｉｔａｌ  Ｌｉｇｈｔ  Ｐｒｏｃｅｓｓｉｎｇ）方式により、コントローラ基板２０から出力される画像データに基づいて、ランプ３０から照射されるランプ光を用いてスクリーン等の投影対象物に投射画像を投影する装置である。光学エンジン１０は、光学フィルタ１１と、マイクロミラーデバイス１２と、レンズ１３と、を有する。なお、光学エンジン１０は、ＤＬＰ方式としているが、これに限定されるものではなく、液晶方式またはＬＣＯＳ（Ｌｉｑｕｉｄ  Ｃｒｙｓｔａｌ  Ｏｎ  Ｓｉｌｉｃｏｎ）方式等の他方式であってもよい。
【００１４】
光学フィルタ１１は、円盤状に形成された赤（Ｒ）、青（Ｂ）、緑（Ｇ）のカラーフィルタである。光学フィルタ１１は、回転動作することによって、ランプ３０から照射されるランプ光を、赤、青、緑の単色光に時分割する。
【００１５】
マイクロミラーデバイス１２は、光を反射させる微小なミラー（反射板）の集合体であり、各ミラーがその傾斜によって光をレンズ１３に向けて反射するか否かを調整する装置である。マイクロミラーデバイス１２は、後述するコントローラ基板２０のＭＰＵ２１から出力される画像データに基づいて、光学フィルタ１１から出力される時分割された単色光に対する反射動作を制御して画像を投射する。
【００１６】
レンズ１３は、マイクロミラーデバイス１２から投射された画像を、所望のサイズに拡大させて投影光として出射する光学系である。レンズ１３は、投影光を出射することによって、スクリーン等の投影対象物に投影画像を投影する。
【００１７】
コントローラ基板２０は、外部機器から入力した画像データに対して、所定の画像処理を実行し、画像処理後の画像データを光学エンジン１０に出力する基板である。コントローラ基板２０は、ＭＰＵ（Ｍｉｃｒｏ−Ｐｒｏｃｅｓｓｉｎｇ  Ｕｎｉｔ）２１と、映像・音声インターフェース部２２と、ネットワークインターフェース部２３と、電源制御部２４と、感度測定部２５と、判定部２６と、メモリ２７と、操作パネル２８と、光学制御部２９と、を有する。
【００１８】
ＭＰＵ２１は、コントローラ基板２０全体の動作を制御する演算装置である。ＭＰＵ２１は、映像・音声インターフェース部２２またはネットワークインターフェース部２３を介して入力した画像データに対して、所定の画像処理（例えば、画像の拡大・縮小処理、歪み補正処理、形状変更処理または合成処理等）を実行し、画像処理後の画像データを光学エンジン１０のマイクロミラーデバイス１２に出力する。
【００１９】
映像・音声インターフェース部２２は、図１に示すように、外部機器であるビデオカメラ２またはＰＣ（Ｐｅｒｓｏｎａｌ  Ｃｏｍｐｕｔｅｒ）３等から画像データ、音声データ、およびその他のデータの通信をするためのインターフェースである。映像・音声インターフェース部２２は、受信したデータをＭＰＵ２１へ送る。
【００２０】
ネットワークインターフェース部２３は、図１に示すように、ネットワーク機器であるＰＣ４等と、有線通信の物理的な規格に準拠したＥｔｈｅｒｎｅｔ（登録商標）ケーブル等で接続し、通信規格であるＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）、またはＵＤＰ（Ｕｓｅｒ  Ｄａｔａｇｒａｍ  Ｐｒｏｔｏｃｏｌ）／ＩＰ等により通信するインターフェースである。ネットワークインターフェース部２３は、例えば、ＰＣ４等から画像データ、音声データまたは電子ファイル等の電子データを受信し、受信した電子データをＭＰＵ２１へ送る。なお、ネットワークインターフェース部２３は、上述のような有線通信規格に基づいたインターフェースであることに限定されるものではなく、無線通信規格であるＷｉ−Ｆｉ（登録商標）（Ｗｉｒｅｌｅｓｓ  Ｆｉｄｅｌｉｔｙ）等により通信するインターフェースであってもよい。
【００２１】
電源制御部２４は、ＭＰＵ２１からの制御信号に従って、接続されている受光センサ４１、４２に対して個別に電源供給のオン／オフを制御する機器である。
【００２２】
感度測定部２５は、受光センサ４１、４２が受信するリモコンから送出される赤外線の信号の受光感度を測定する機器である。
【００２３】
判定部２６は、感度測定部２５が測定した受光センサ４１、４２の受光感度の順位を判定する機器である。また、判定部２６は、判定した受光感度の順位情報をＭＰＵ２１に送信する。
【００２４】
メモリ２７は、ＭＰＵ２１で実行するプログラム、各種設定情報、および後述する選定された最適受光センサ（最適受光手段）の情報等を記憶する記憶装置である。
【００２５】
操作パネル２８は、プロジェクタ１の電源のオン／オフおよび動作設定等の操作を行うための、複数のスイッチ部品（例えば、タクトスイッチ）を含むパネルである。
【００２６】
光学制御部２９は、ＭＰＵ２１からの制御信号に従って、光学フィルタ１１とマイクロミラーデバイス１２とを同期制御する装置である。具体的には、光学制御部２９は、光学フィルタ１１によりランプ３０から照射されるランプ光を単色光に時分割すると同時に、マイクロミラーデバイス１２により各単色光から投射する画像を生成させる。
【００２７】
ランプ３０は、光学エンジン１０に対して、投射画像を生成するためのランプ光を出力する光源である。ランプ３０は、例えば、水銀ランプ、ハロゲンランプ、ＬＥＤ（Ｌｉｇｈｔ  Ｅｍｉｔｔｉｎｇ  Ｄｉｏｄｅ）またはＬＤ（Ｌａｓｅｒ  Ｄｉｏｄｅ)等であり、ランプ光を光学フィルタ１１に対して照射する。ランプ３０は、ランプ用電源６０から電源供給される。
【００２８】
受光センサ４１、４２は、リモコンから遠隔操作をするための赤外線の操作信号を受光するセンサである。受光センサ４１、４２は、受光した操作信号をＭＰＵ２１に送信する。受光センサ４１、４２は、それぞれプロジェクタ１本体の筐体の異なる面に設置される。このように複数の受光センサである受光センサ４１、４２をプロジェクタ１に搭載することによって、プロジェクタ１が設置される空間の広い範囲において、リモコンから送出される赤外線を受信することができる。
【００２９】
システム用電源５０は、交流電源である商用電源からの交流電圧を、直流電圧に変換し、各種機器に電源供給するＡＣ／ＤＣコンバータ電源である。システム用電源５０は、例えば、コントローラ基板２０およびマイクロミラーデバイス１２等に電源供給する。
【００３０】
ランプ用電源６０は、交流電源である商用電源から、ランプ３０の駆動用の電力を生成して供給する電源である。なお、ランプ用電源６０は、システム用電源５０から供給される電力から、ランプ３０の駆動用の電力を生成するものとしてもよい。逆にシステム用電源５０は、ランプ用電源６０から供給される電力から、システム用の電力を生成するものとしてもよい。
【００３１】
なお、図１に示すように、プロジェクタ１は、２つの受光センサ（受光センサ４１、４２）を備えるものとしているが、これに限定されるものではなく、３つ以上の受光センサを備えるものとしてもよい。
【００３２】
（プロジェクタのブロック構成）
図２は、第１の実施の形態に係るプロジェクタの主要なブロック構成の一例を示す図である。図２を参照しながら、本実施の形態に係るプロジェクタ１の主要なブロック構成について説明する。
【００３３】
図２に示すように、本実施の形態に係るプロジェクタ１は、主要な機能ブロックとして、モード制御手段１０１と、感度測定手段１０２と、判定手段１０３と、選定手段１０４と、記憶手段１０５と、電源制御手段１０６と、受光手段１０７と、通信手段１０８と、投影手段１０９と、備えている。
【００３４】
モード制御手段１０１は、プロジェクタ１の動作モードの切り替え、または各動作モードにおける処理を実行する機能部である。例えば、モード制御手段１０１は、動作モードを待機モードに移行させる場合、待機モードへ移行させるためのシャットダウン動作を実行する。モード制御手段１０１は、図１に示すＭＰＵ２１により実行されるプログラムにより実現される。
【００３５】
感度測定手段１０２は、受光手段１０７がリモコンから送出される赤外光である信号を受光する場合の受光感度を測定する機能部である。感度測定手段１０２は、図１に示す感度測定部２５により実現される。
【００３６】
判定手段１０３は、感度測定手段１０２が測定した受光手段１０７の受光感度の順位を判定する機能部である。判定手段１０３は、図１に示す判定部２６により実現される。
【００３７】
選定手段１０４は、判定手段１０３により判定された受光感度の順位から、複数の受光センサ（受光手段１０７）から最適受光センサを選定する機能部である。また、選定手段１０４は、選定した最適受光センサの情報を記憶手段１０５に記憶させる。選定手段１０４は、図１に示すＭＰＵ２１により実行されるプログラムにより実現される。
【００３８】
記憶手段１０５は、ＭＰＵ２１で実行されるプログラム、各種設定情報、および選定手段１０４により選定された最適受光センサの情報等を記憶する機能部である。記憶手段１０５は、図１に示すメモリ２７により実現される。
【００３９】
電源制御手段１０６は、受光手段１０７である受光センサ４１、４２に対して個別に電源供給のオン／オフを制御する機能部である。電源制御手段１０６は、図１に示す電源制御部２４により実現される。
【００４０】
受光手段１０７は、リモコンから送出される赤外光である信号を受光する機能部である。受光手段１０７は、図１に示す受光センサ４１、４２により実現される。
【００４１】
通信手段１０８は、外部機器から画像データ、音声データもしくは電子ファイル等の電子データ、またはその他のデータの通信をする機能部である。通信手段１０８は、図１に示す映像・音声インターフェース部２２またはネットワークインターフェース部２３により実現される。
【００４２】
投影手段１０９は、画像データに基づいて、ランプ光を用いてスクリーン等の投影対象物に投射画像を投影する機能部である。投影手段１０９は、図１に示す光学エンジン１０およびランプ３０により実現される。
【００４３】
なお、上述のモード制御手段１０１および選定手段１０４の一部または全部は、ソフトウェアであるプログラムではなく、ハードウェア回路によって実現されるものとしてもよい。また、上述の判定手段１０３は、ハードウェア回路ではなく、ソフトウェアであるプログラムによって実現されるものとしてもよい。
【００４４】
また、上述のモード制御手段１０１、感度測定手段１０２、判定手段１０３、選定手段１０４、記憶手段１０５、電源制御手段１０６、受光手段１０７、通信手段１０８および投影手段１０９は、プロジェクタ１の機能を概念的に構成したものであって、このような構成に限定されるものではない。
【００４５】
（受光センサの構成および各部の信号波形）
図３は、第１の実施の形態の受光センサの構成例と、受光センサとＭＰＵとの接続関係とを示す図である。図４は、受光センサの各部の信号波形の一例を示す図である。図３を参照しながら、受光センサ４１、４２の構成、および受光センサ４１、４２とＭＰＵ２１との接続関係について説明しつつ、図４を参照しながら、受光センサ４１、４２の各部の信号波形について説明する。
【００４６】
図３に示すように、受光センサ４１（または受光センサ４２）は、ＰＤ（Ｐｈｏｔｏｄｉｏｄｅ）４１１と、Ｉ／Ｖ変換器４１２と、増幅器４１３と、ＢＰＦ（Ｂａｎｄ  Ｐａｓｓ  Ｆｉｌｔｅｒ）４１４と、復調器４１５と、制御回路４１６と、積分器４１７と、比較器４１８と、トランジスタ４１９と、電源４２０と、備えている。
【００４７】
ＰＤ４１１は、リモコン５から送出される赤外線のパルス信号（以下、サブキャリアとも呼ぶ）を受光して電気信号（電流信号）に変換する素子である。図４（ａ）は、リモコン５から送出されるサブキャリアの波形を示す。図４（ａ）に示すように、リモコン５から送出されるサブキャリアの信号レベルは、リモコン５の操作位置によらず一定である。
【００４８】
Ｉ／Ｖ変換器４１２は、ＰＤ４１１によって変換された電流信号を電圧信号に変換する機器である。図４（ｂ）は、Ｉ／Ｖ変換器４１２から出力される電圧信号の波形を示す。図４（ｂ）に示すように、Ｉ／Ｖ変換器４１２から出力される電圧信号の波形は、ＰＤ４１１による赤外線の信号の受光感度に大きく影響を受け、受光感度が低いと電圧信号の電圧レベルも小さくなる。また、ＰＤ４１１の受光感度は、リモコン５の操作位置、リモコン５と受光センサ４１（４２）との距離、および受光センサ４１（４２）に対するサブキャリアの受光角度等によっておおきく変動する。また、ＰＤ４１１の受光感度は、サブキャリア以外の蛍光灯等の外乱光からも影響を受けるため、Ｉ／Ｖ変換器４１２から出力される電圧信号は、ノイズが重畳している。
【００４９】
増幅器４１３は、後述する制御回路４１６からの制御信号に従って、Ｉ／Ｖ変換器４１２から出力される電圧信号を所定の電圧レベルに増幅させる機器である。ＢＰＦ４１４は、増幅器４１３から出力される電圧信号のうち、所定の範囲の周波数の電圧信号のみを通過させ、所定の範囲外の高周波ノイズ等を除去する機器である。復調器４１５は、後述する制御回路４１６からの制御信号に従って、ＢＰＦ４１４から出力される電圧信号を、サブキャリアと同一の周波数、かつ、所定の電圧レベルの電圧パルス波形に整形する機器である。制御回路４１６は、増幅器４１３および復調器４１５に対して、それぞれ制御信号を送信し、増幅器４１３、ＢＰＦ４１４および復調器４１５と共にＡＧＣ（Ａｕｔｏｍａｔｉｃ  Ｇａｉｎ  Ｃｏｎｔｒｏｌ）回路を構成する。図４（ｃ）は、復調器４１５から出力される電圧信号の波形、すなわち、積分器４１７に入力される電圧信号の波形を示す。増幅器４１３に入力された電圧信号は、その電圧レベルの大小にかかわらず、上述のＡＧＣ回路の機能により、増幅処理、ノイズ除去、および波形整形処理を受けることにより、図４（ｃ）に示すようにサブキャリアと同一の周波数、かつ、所定の電圧レベルの電圧パルス波形として、復調器４１５から出力される。
【００５０】
積分器４１７は、復調器４１５から出力される電圧信号の連続するパルス信号を積分して、１つの電圧パルスに合成する機器である。図４（ｄ）は、積分器４１７から出力される電圧信号の波形を示す。図４（ｄ）に示すように、積分器４１７は、復調器４１５から連続するパルス波形が入力されている間は積分動作を行うが、パルス波形が入力されなくなると、積分器４１７に含まれるコンデンサから電流が放電され、積分器４１７から出力される電圧信号の電圧レベルは低下していく。
【００５１】
比較器４１８は、積分器４１７から出力される１つのパルスの電圧信号を、図４（ｄ）に示すように、Ｈｉｇｈ閾値およびＬｏｗ閾値を用いて、方形波パルスに整形する機器である。図４（ｅ）は、比較器４１８から出力される方形波パルス形状の電圧信号の波形を示す。比較器４１８は、積分器４１７から出力される電圧信号がＨｉｇｈ閾値より上回った時点を方形波パルスの立ち上がりとし、積分器４１７から出力される電圧信号がＬｏｗ閾値を下回った時点を方形波パルスの立ち下がりとして、方形波パルスに整形する。
【００５２】
トランジスタ４１９および電源４２０は、図４（ｆ）に示すように、比較器４１８から出力される方形波パルス形状の電圧信号の電圧レベルを反転させ、かつ、ＭＰＵ２１に入力させる電圧レベルに調整させる機器である。電源４２０は、外部から供給されるシステム用電源５０等によって生成される電源である。トランジスタ４１９は、ベース側が比較器４１８の出力側に接続され、コレクタ側が抵抗を介して電源４２０に接続、かつ、ＭＰＵ２１に接続され、エミッタ側が接地されている。比較器４１８から上述のように方形波パルスの電圧が出力されＨｉｇｈ電位になると、トランジスタ４１９にベース電流が流れ、スイッチング素子としてのトランジスタ４１９が導通してコレクタ電流が流れるので、トランジスタ４１９のコレクタ側は、接地電位となる。一方、比較器４１８から出力される電圧がＬｏｗ電位になると、トランジスタ４１９にペース電流は流れず、トランジスタ４１９にコレクタ電流は流れないので、トランジスタ４１９のコレクタ側は、電源４２０の電源電圧と同電位となる。このような動作によって、受光センサ４１、４２から出力される電圧（トランジスタ４１９のコレクタ側の電圧）は、比較器４１８から出力される方形波パルス形状の電圧信号の電圧レベルを反転され、かつ、ＭＰＵ２１に入力させる電圧レベル（電源４２０の電源電圧の電圧レベル）に調整される。なお、トランジスタ４１９および電源４２０は、必ずしも必須の構成要素ではなく、ＭＰＵ２１の入力仕様に従う範囲であれば、比較器４１８の出力側がＭＰＵ２１に接続されるものとしてもよい。
【００５３】
また、図３に示すように、感度測定部２５は、Ｉ／Ｖ変換器４１２の出力側に接続されている。したがって、感度測定部２５は、Ｉ／Ｖ変換器４１２から出力される電圧信号を受信して、その電圧信号の電圧レベルを、リモコン５から送出する赤外線の信号の受光感度として測定する。すなわち、感度測定部２５は、受光センサ４１、４２における増幅器４１３、ＢＰＦ４１４、復調器４１５および制御回路４１６で実現されるＡＧＣ回路によって所定の電圧レベルの電圧パルス波形に整形される前の電圧信号（電気信号の一例）を受信して、その電圧信号の電圧レベルを受光センサ４１、４２の受光感度として測定する。
【００５４】
そして、判定部２６は、感度測定部２５が測定した受光センサ４１、４２の受光感度を受信して、受光感度の順位を判定し、判定した順位の情報をＭＰＵ２１に送信する。
【００５５】
なお、図３に示す受光センサ４１、４２の構成は、一般的な受光センサの構成の一例を示すものであるが、この構成に限定されるものではなく、ＰＤ４１１およびＩ／Ｖ変換器４１２を用いたその他の構成であってもよい。
【００５６】
（赤外線通信の通信フォーマットについて）
図５は、赤外線通信の通信フォーマットの一例を示す図である。図５を参照しながら、リモコン５から送出される赤外線の信号の通信フォーマットの一例として、ＮＥＣ（登録商標）フォーマットを例にしたデータビットの構成、およびフレーム構成について説明する。なお、本実施の形態のリモコン５から送出される赤外線信号の通信フォーマットは、ＮＥＣフォーマットに限定されるものではなく、例えば、ＳＯＮＹ（登録商標）フォーマットまたは家製協フォーマット等であってもよい。
【００５７】
図５（ａ）は、リモコン５から送出される赤外線の信号のパルス波形を示したものであり、ＮＥＣフォーマットのデータビットの表し方を説明する図である。データビットの「０」および「１」の表し方は、連続するパルス信号であるサブキャリアの通信がない時間によって「０」と「１」とを区別する方式を採用している。すなわち、サブキャリアが連続して期間Ｔ（＝Ｔｏｎ）だけ送信された後、サブキャリアが送信されない期間Ｔｏｆｆが、期間Ｔである場合、「０」を表すものとする。ここで、ＮＥＣフォーマットでは、Ｔ＝５６２［ｍｓ］である。また、サブキャリアが連続して期間Ｔ（＝Ｔｏｎ）だけ送信された後、サブキャリアが送信されない期間Ｔｏｆｆが、期間Ｔ×３＝３Ｔである場合、「１」を表すものとする。
【００５８】
ここで、図５（ａ）は、リモコン５から送出される連続した赤外線のパルス信号として示されているが、上述の図３および４で説明したように、連続した赤外線のパルス信号は、受光センサ４１、４２によって、１つの電圧パルスに整形される。したがって、受光センサ４１、４２からＭＰＵ２１に入力する信号は、期間Ｔｏｎ、Ｔｏｆｆの期間だけ、それぞれ一定したＬｏｗ、Ｈｉｇｈの電圧波形となっている。このように、リモコン５の赤外線通信は、期間Ｔを基礎とした期間Ｔｏｆｆの時間によって、データビットの「０」または「１」が区別される。このようなデータビットの構成である信号を受信したＭＰＵ２１は、期間Ｔｏｎ、Ｔｏｆｆの時間を計測するタイマまたはカウンタが実装され、データの「０」または「１」を判定する。
【００５９】
図５（ｂ）は、図５（ａ）に示すデータビットで構成されるＮＥＣフォーマットのフレーム構成を示す図である。図５（ｂ）に示すように、ＮＥＣフォーマットのフレームは、リーダと、カスタマーコードと、データ本体と、その補数とを含んで構成される。リーダは、期間Ｔｏｎ＝１６Ｔ、Ｔｏｆｆ＝８Ｔで構成されるフレームの開始を示す部分である。カスタマーコードは、メーカ毎に異なる固有の値を示す１６ビットのデータである。データは、フレームに含めて送信する操作指令等を示すデータ本体である８ビットのデータである。補数は、データ本体のビットを反転した８ビットのデータである。
【００６０】
（最適受光センサを選定する動作について）
図６は、最適受光センサを選定する動作について説明する図である。まず、図６を参照しながら、天井に設置されたプロジェクタ１を例にして、最適受光センサがどのように選定されるかについての概要を説明する。なお、図６に示すプロジェクタ１は、３つの受光センサ４１〜４３を備えているものとして説明する。
【００６１】
図６に示すように、プロジェクタ１は、筐体が直方体形状となっているものとし、筐体の前面に、上述の投影手段１０９が出射する投影光の出射口となる投影口７０を備えている。また、プロジェクタ１は、投影口７０から出射される投影光がスクリーン６に向かうように支持部材８によって天井７に固定されている。また、プロジェクタ１に備えられている受光センサ４１〜４３のうち、受光センサ４１は、投影口７０が配置された筐体の前面に設置され、受光センサ４２は、筐体の下面側に設置され、受光センサ４３は、筐体の上面、すなわち、天井７側の面に設置されているものとする。すなわち、図６に示すプロジェクタ１は、筐体の異なる面に３つの受光センサを備えるプロジェクタの一例を示すものである。
【００６２】
受光センサ４１〜４３は、リモコン５からの赤外線の信号を受光するための受光範囲として指向性を有し、センサ正面における受光可能な距離に対して、受光可能な距離が半減する指向角は一般的に４５°程度である。ここで、図６に示すように受光センサ４１の受光範囲を、受光範囲２０１とし、受光センサ４２の受光範囲を、受光範囲２０２とする。
【００６３】
プロジェクタ１において、通常の投影動作が実行される通常モードにおいては、リモコンからの操作信号を最大の受光範囲で受光できる状態にしておくことが望ましく、３つの受光センサ４１〜４３のいずれについても受光可能な状態である有効状態にしておくことが望ましい。一方、プロジェクタ１は、長時間投影動作が実行されない場合、または、ユーザが意図的にシャットダウン操作した場合等において、消費電力を抑えた待機モードに移行する。待機モードにおいては、投影動作は実行されないので、待機モードから通常モードに移行させるため、または、プロジェクタ１の電源をＯＮ状態にするため、もしくはシステム起動するための操作信号等を受光できればよく、さらに、消費電力低減の観点から、すべての受光センサを有効状態にしておくことは望ましくない。したがって、待機モードにおいては、複数の受光センサのうちいずれかを有効状態にして、リモコンからの操作信号を受光できる状態にしておき、その他の受光センサについては電源をＯＦＦ状態にして無効状態にさせる。ただし、待機モードにおいて、複数の受光センサのうち有効状態にする受光センサを任意に選定すればよいわけではなく、プロジェクタ１の設置状態に応じて、待機モードで有効状態にする最適な受光センサ（最適受光センサ）を選定する必要がある。以下、図６に示すプロジェクタ１の設置状態を例にして、いずれの受光センサを待機モードにおける最適受光センサとして選定するかについて説明する。
【００６４】
まず、プロジェクタ１からスクリーン６までの距離である投影距離がある程度長い距離であり、主にユーザのリモコン５の操作をする場所がプロジェクタ１の下方に位置するエリアである場合、かつ、スクリーン６が拡散型スクリーンであるものとする。ここで、拡散型スクリーンとは、スクリーン６へ入射角θで入射した赤外光が、反射角θで反射するスクリーンであって、図６に示すように、リモコン５から送出した赤外光２２１が、経路ａ１でスクリーン６に入射した場合、経路ａ２で反射するスクリーンである。また、ユーザは、主に、図６に示すように、リモコン５から送出される赤外光２２１が経路ａ１→経路ａ２を辿るように操作するものとする。この場合、いずれの受光センサを最適受光センサとして選定して決定するためのモード（以下、選択モードという）において、感度測定手段１０２は、ユーザの所定の操作によってリモコン５から送出された信号に対する受光手段１０７である受光センサ４１〜４３それぞれの受光感度を測定する。判定手段１０３は、感度測定手段１０２により測定された受光センサ４１〜４３の受光感度の強さについて順位を判定する。そして、選定手段１０４は、判定手段１０３により判定された受光感度の順位に基づいて、受光センサ４１〜４３から最適受光センサを選定する。上述のユーザによるリモコン５の操作環境の場合、経路ａ１→経路ａ２を辿る赤外光２２１を受光する受光センサ４１の受光感度が、受光センサ４２、４３の受光感度よりも強い。したがって、選定手段１０４は、受光センサ４１〜４３のうち受光感度が最も強い受光センサ４１を最適受光センサとして選定する。
【００６５】
次に、主にユーザのリモコン５の操作をする場所が、上述と同容にプロジェクタ１の下方に位置するエリアである場合、かつ、スクリーン６が回帰型スクリーンであるものとする。ここで、回帰型スクリーンとは、図６に示すように、リモコン５から送出した赤外光２２１が、経路ａ１でスクリーン６に入射した場合、スクリーン６から反射した赤外光が、経路ａ１と重なる経路ａ３を辿って戻ってくるスクリーンである。この場合、ユーザがリモコン５から経路ａ１の方向に赤外光を送出させても、その赤外光をプロジェクタ１の方向へ向かわせることができないため、図６に示すように、経路ｂを辿る赤外光２２２を送出させることになる。この場合、経路ｂを辿る赤外光２２２を受光する受光センサ４２の受光感度が、受光センサ４１、４３の受光感度よりも強い。したがって、選択モードにおいて、選定手段１０４は、受光センサ４１〜４３のうち受光感度が最も強い受光センサ４２を最適受光センサとして選定する。
【００６６】
図７は、最適受光センサを選定する動作の一例を示すフローチャートである。図８は、第１の実施の形態の最適受光センサを選定する動作において投影される投影画像の一例を示す図である。次に、図７および８を参照しながら、本実施の形態に係るプロジェクタ１において、最適受光センサが選定される動作を具体的に説明する。
【００６７】
＜ステップＳ１０１＞
ユーザは、操作パネル２８またはリモコン５を操作して、プロジェクタ１の電源をオン状態にして、プロジェクタ１を起動させる。プロジェクタ１のモード制御手段１０１は、プロジェクタ１を通常モードとして動作させる。そして、ステップＳ１０２へ進む。
【００６８】
＜ステップＳ１０２＞
モード制御手段１０１は、最適受光センサを決定する選択モードに移行するための、ユーザの操作パネル２８に対する所定の操作がなされたか否かを判定する。ユーザにより所定の操作がなされた場合、モード制御手段１０１は、通常モードから選択モードに移行させ（ステップＳ１０２：Ｙｅｓ）、ステップＳ１０３へ進む。一方、ユーザにより所定の操作がなされない場合、モード制御手段１０１は、通常モードのままとする（ステップＳ１０２：Ｎｏ）。
【００６９】
＜ステップＳ１０３＞
プロジェクタ１の投影手段１０９は、記憶手段１０５に記憶された、最適受光センサを決定するために必要な操作方法を示す画像データに基づく投影画像（例えば、図８（ａ）に示す投影画像５０１）を、スクリーン６に投影する。そして、ステップＳ１０４へ進む。
【００７０】
＜ステップＳ１０４＞
ユーザは、スクリーン６に投影された最適受光センサを決定するために必要な操作方法を示す投影画像に従って、リモコン５を用いて、感度測定手段１０２による受光手段１０７の受光感度を測定するための所定の操作を行う。所定の操作としては、例えば、図８（ａ）に示すように、リモコン５のボタンを長押しする等の操作が挙げられる。そして、プロジェクタ１の感度測定手段１０２は、複数の受光手段１０７すべてに対して、リモコン５から送出された信号の受光感度を測定する。なお、投影手段１０９が、上述の操作方法を示す投影画像を投影することは必須のものではなく、例えば、ユーザは、プロジェクタ１の説明書等を参照して、上述の操作を行うものとしてもよい。そして、ステップＳ１０５へ進む。
【００７１】
＜ステップＳ１０５＞
感度測定手段１０２は、測定した複数の受光手段１０７それぞれの受光感度に対して、所定の閾値判定を行い、すべての受光手段１０７の受光感度が所定の閾値未満である場合（ステップＳ１０５：Ｙｅｓ）、すべての受光手段１０７が感度不良であると判定して、ステップＳ１０６へ進む。一方、感度測定手段１０２が、複数の受光手段１０７のうちいずれかの受光感度が所定の閾値以上であると判定した場合（ステップＳ１０５：Ｎｏ）、ステップＳ１０８へ進む。
【００７２】
＜ステップＳ１０６＞
感度測定手段１０２によってすべての受光手段１０７が感度不良と判定された場合、投影手段１０９は、記憶手段１０５に記憶された、最適受光センサを決定できない旨を示す画像データに基づく投影画像（例えば、図８（ｂ）に示す投影画像５０２）を、スクリーン６に投影する。そして、ステップＳ１０７へ進む。なお、ステップＳ１０７へ進まずに、最適受光センサの決定動作を再度促すため、ステップＳ１０３へ戻るものとしてもよい。
【００７３】
＜ステップＳ１０７＞
投影手段１０９は、選択モードから通常モードに移行させる。そして、ステップＳ１０２へ戻る。
【００７４】
＜ステップＳ１０８＞
プロジェクタ１の判定手段１０３は、感度測定手段１０２により測定された複数の受光手段１０７の受光感度の強さについて順位を判定する。そして、ステップＳ１０９へ進む。
【００７５】
＜ステップＳ１０９＞
プロジェクタ１の選定手段１０４は、判定手段１０３により判定された受光感度の順位に基づいて、受光感度が最も強い受光手段１０７を最適受光センサに選定する。そして、投影手段１０９は、記憶手段１０５に記憶された、選定手段１０４により選定された最適受光センサを正式に決定してよいか否かを促す画像データに基づく投影画像（例えば、図８（ｃ）に示す投影画像５０３）を、スクリーン６に投影する。そして、ステップＳ１１０へ進む。
【００７６】
＜ステップＳ１１０＞
ユーザは、スクリーン６に投影された投影画像の内容に従って、操作パネル２８またはリモコン５によって、選定手段１０４により選定された受光手段１０７を最適受光センサとして正式に決定するか否かの操作を行う。ユーザによって選定手段１０４により選定された受光手段１０７を最適受光センサとして正式に決定する操作が行われた場合（ステップＳ１１０：Ｙｅｓ）、ステップＳ１１１へ進み、決定しない操作が行われた場合（ステップＳ１１０：Ｎｏ）、ステップＳ１１２へ進む。ユーザが、選定手段１０４に設定された受光手段１０７を最適受光センサとして決定する操作としては、例えば、投影画像５０３に従って、操作パネル２８の「ＥＮＴＥＲ」ボタンを押下する。また、ユーザが、最適受光センサとして決定しない操作としては、例えば、投影画像５０３に従って、操作パネル２８の「ＥＳＣＡＰＥ」ボタンを押下する。
【００７７】
＜ステップＳ１１１＞
選定手段１０４は、選定した受光手段１０７が最適受光センサに決定されると、選定した受光手段１０７が最適受光センサであることを示す最適受光センサ情報を、記憶手段１０５に記憶する。そして、ステップＳ１１４へ進む。
【００７８】
＜ステップＳ１１２＞
投影手段１０９は、選定手段１０４により選定された受光手段１０７が最適受光センサとして決定しない操作が行われると、さらに最適受光センサの選定動作を繰り返すか否かを問う投影画像を、スクリーン６に投影する。ユーザは、スクリーン６に投影された投影画像に従って、操作パネル２８またはリモコン５によって、最適受光センサの選定動作を繰り返すか否かの操作を行う。ユーザによって最適受光センサの選定動作を繰り返す操作が行われた場合（ステップＳ１１２：Ｙｅｓ）、ステップＳ１１３へ進む。一方、最適受光センサの選定動作を繰り返さない操作が行われた場合（ステップＳ１１２：Ｎｏ）、選定手段１０４は、最適受光センサ情報を記憶手段１０５に記憶させずに、ステップＳ１１４へ進む。
【００７９】
＜ステップＳ１１３＞
モード制御手段１０１は、選択モードを終了させて、通常モードに移行させる。そして、ステップＳ１０２へ戻る。なお、ステップＳ１０２へ戻らずに、最適受光センサの決定動作を再度促すため、ステップＳ１０３へ戻るものとしてもよい。
【００８０】
＜ステップＳ１１４＞
モード制御手段１０１は、選択モードを終了させて、通常モードに移行させる。そして、ステップＳ１１５へ進む。
【００８１】
＜ステップＳ１１５＞
モード制御手段１０１は、通常モードから待機モードへ移行するためのイベントの発生の有無を検出する。ここで、待機モードへ移行するためのイベントとは、例えば、リモコン５の操作による待機モードへの移行操作、通信手段１０８を介して待機モードへの移行コマンドを受信した場合、通常モード状態のプロジェクタ１において所定時間操作が行われなかった場合、および、プロジェクタ１に所定のエラーが発生した場合等である。待機モードへ移行するためのイベントが発生した場合（ステップＳ１１５：Ｙｅｓ）、ステップＳ１１６へ進む。一方、待機モードへ移行するためのイベントが発生しない場合（ステップＳ１１５：Ｎｏ）、モード制御手段１０１は、継続してイベントの発生の有無を検出する。
【００８２】
＜ステップＳ１１６＞
モード制御手段１０１により待機モードへ移行するためのイベントの発生が検出された場合、プロジェクタ１の電源制御手段１０６は、記憶手段１０５から最適受光センサ情報を読み出す。そして、ステップＳ１１７へ進む。
【００８３】
＜ステップＳ１１７＞
電源制御手段１０６は、読み出した最適受光センサ情報が示す受光手段１０７のみを有効状態にし、それ以外の受光手段１０７の電源をオフ状態にして無効状態にする。そして、ステップＳ１１８へ進む。
【００８４】
＜ステップＳ１１８＞
モード制御手段１０１は、電源制御手段１０６により最適受光センサのみが有効状態となった後、プロジェクタ１のシャットダウン動作を実行し、待機モードへ移行させる。
【００８５】
以上で、プロジェクタ１が最適受光センサを選定し、最適受光センサのみを有効状態にした状態で待機モードへ移行する動作を終了する。なお、待機モード中に、通常モードへ移行するためのイベントが発生した場合、再度、ステップＳ１０１から処理が開始される。ここで、通常モードへ移行するためのイベントとは、例えば、リモコン５の操作による通常モードへの移行操作、または通信手段１０８を介して通常モードへの移行コマンドを受信した場合等である。
【００８６】
また、ステップＳ１１０において、選定手段１０４により選定された最適受光センサを選定したものを、ユーザに対して最終的に決定させるか否かを選択させているが、これは必須のものではない。したがって、選定手段１０４により選定された受光センサ（受光手段１０７）を最適受光センサとして自動的に決定されるものとしてもよい。この場合、ステップＳ１１０はスキップすることになる。
【００８７】
また、プロジェクタ１の起動後、通常モードの状態から、待機モードに移行するためのイベントが発生した場合は、ステップＳ１１６から実行されるものとすればよい。この場合、記憶手段１０５に最適受光センサ情報が記憶されていない場合、電源制御手段１０６は、すべての受光手段１０７を最適受光センサとして有効状態にし、待機モードに移行するものとすればよい。これによって、選定手段１０４により最適受光センサが選定されておらず、記憶手段１０５に最適受光センサ情報が記憶されていない状態に、待機モードにおいて、すべての受光手段１０７が無効状態になる状態を回避することができる。
【００８８】
以上のように、本実施の形態に係るプロジェクタ１において、感度測定手段１０２が、ユーザによる所定の操作によってリモコン５から送出された信号に対する複数の受光手段１０７の受光感度を測定し、判定手段１０３が、受光感度の強さについて順位を判定し、選定手段１０４が、受光感度の順位に基づいて、複数の受光手段１０７から最適受光センサを選定している。これによって、待機モード時に有効状態にする最適受光センサとして、感度よく受光可能な受光手段１０７を選定することを、簡単かつ確実に実施することが可能となる。
【００８９】
また、感度測定部２５は、受光センサ４１、４２における増幅器４１３、ＢＰＦ４１４、復調器４１５および制御回路４１６で実現されるＡＧＣ回路によって所定の電圧レベルの電圧パルス波形に整形される前の電圧信号を受信して、その電圧信号の電圧レベルを受光センサ４１、４２の受光感度として測定するものとしている。これによって、感度測定部２５は、受光感度の強さを反映した電圧信号を取得できるので、受光感度の測定精度を向上させることができる。なお、図３において、感度測定部２５は、ＡＧＣ回路によって所定の電圧レベルの電圧パルス波形に整形される前の電圧信号を受信するものとしているが、これに限定されるものではなく、受光センサ４１、４２の受光感度を判定可能な信号であれば、どの部分の信号を受信するものとしてもよい。
【００９０】
また、選定手段１０４が、選定した受光手段１０７が最適受光センサであることを示す最適受光センサ情報を記憶手段１０５に記憶するものとしている。これによって、プロジェクタ１の起動毎に、選定手段１０４による最適受光センサの選定動作を実行させる必要がない。すなわち、プロジェクタ１が待機モードに移行する際に、電源制御手段１０６が記憶手段１０５から最適受光センサ情報を読み出し、最適受光センサ情報が示す受光手段１０７のみを有効状態にすればよいことになる。
【００９１】
なお、待機モード時に有効状態にする最適受光センサは１つであることに限定されるものではなく、選定手段１０４は、少なくとも、プロジェクタ１が備える受光センサの数よりも少ない数の受光センサを最適受光センサとして選定するものとしてもよい。例えば、最適受光センサを２つ選定する場合、選定手段１０４は、判定手段１０３によって判定された受光手段１０７の受光感度の強さの順位の上位２つの受光手段１０７を最適受光センサとして選定するものとすればよい。
【００９２】
［第２の実施の形態］
第２の実施の形態に係るプロジェクタについて、第１の実施の形態に係るプロジェクタ１と相違する点を中心に説明する。
【００９３】
（プロジェクタ１のハードウェア構成）
図９は、第２の実施の形態に係るプロジェクタのハードウェアの全体構成の一例を示す図である。図９を参照しながら、本実施の形態に係るプロジェクタ１ａのハードウェア構成について説明する。
【００９４】
図９に示すように、本実施の形態に係るプロジェクタ１ａは、画像データに基づいて、ランプ光を用いてスクリーン等の投影対象物に投影画像を投影させる画像投影装置である。プロジェクタ１ａは、光学エンジン１０と、コントローラ基板２０ａと、ランプ３０と、受光センサ４１、４２と、システム用電源５０と、ランプ用電源６０と、を備えている。
【００９５】
コントローラ基板２０ａは、外部機器から入力した画像データに対して、所定の画像処理を実行し、画像処理後の画像データを光学エンジン１０に出力する基板である。コントローラ基板２０ａは、ＭＰＵ２１ａと、映像・音声インターフェース部２２と、ネットワークインターフェース部２３と、電源制御部２４と、メモリ２７と、操作パネル２８と、光学制御部２９と、を有する。
【００９６】
ＭＰＵ２１ａは、コントローラ基板２０ａ全体の動作を制御する演算装置である。ＭＰＵ２１ａは、映像・音声インターフェース部２２またはネットワークインターフェース部２３を介して入力した画像データに対して、所定の画像処理を実行し、画像処理後の画像データを光学エンジン１０のマイクロミラーデバイス１２に出力する。ＭＰＵ２１ａは、実行するプログラムによって実現される感度測定部２５ａと、判定部２６ａとを有する。感度測定部２５ａおよび判定部２６ａは、それぞれ図１０において後述する感度測定手段１０２ａおよび判定手段１０３ａと同一のものであるので、動作の詳細は後述する。
【００９７】
プロジェクタ１ａのその他のハードウェア構成は、第１の実施の形態に係るプロジェクタ１のハードウェア構成と同様である。
【００９８】
（プロジェクタのブロック構成）
図１０は、第２の実施の形態に係るプロジェクタの主要なブロック構成の一例を示す図である。図１０を参照しながら、本実施の形態に係るプロジェクタ１ａの主要なブロック構成について説明する。
【００９９】
図１０に示すように、本実施の形態に係るプロジェクタ１ａは、モード制御手段１０１と、感度測定手段１０２ａと、判定手段１０３ａと、選定手段１０４と、記憶手段１０５と、電源制御手段１０６と、受光手段１０７と、通信手段１０８と、投影手段１０９と、を備える。
【０１００】
感度測定手段１０２ａは、受光手段１０７がリモコンから送出される赤外光である信号を受光する場合の受光感度を測定する機能部である。感度測定手段１０２ａは、図９に示すＭＰＵ２１ａにより実行されるプログラムにより実現される。
【０１０１】
判定手段１０３ａは、感度測定手段１０２ａが測定した受光手段１０７の受光感度の順位を判定する機能部である。判定手段１０３ａは、図９に示すＭＰＵ２１ａにより実行されるプログラムにより実現される。
【０１０２】
プロジェクタ１ａのその他のブロック構成は、第１の実施の形態のプロジェクタ１のブロック構成と同様である。
【０１０３】
（受光センサの構成）
図１１は、第２の実施の形態の受光センサの構成例と、受光センサとＭＰＵとの接続関係とを示す図である。図１１を参照しながら、受光センサ４１、受光センサ４２、および受光センサ４１、４２とＭＰＵ２１ａとの接続関係について説明する。図１１に示すように、受光センサ４１、４２の構成は、図３に示す構成と同様である。
【０１０４】
図１１に示すように、本実施の形態のＭＰＵ２１ａは、第１の実施の形態の感度測定部２５および判定部２６に相当する機能部を、実行するプログラムによって実現される感度測定部２５ａおよび判定部２６ａとして内包する。ＭＰＵ２１ａは、受光センサ４１、４２によってリモコン５から送出される赤外線の信号が受光され、出力される信号からデータの内容を読み取る。この場合、受光センサ４１、４２のＰＤ４１１によるサブキャリア受光量が小さいと、受光センサ４１、４２から出力される信号が、図５（ｂ）に示した所定のフレーム構成になっていなかったり、フレームを構成するデータビットが正しいビットになっていないエラーフレーム（以下、単にエラーデータという）が発生する場合がある。例えば、エラーデータの具体例としては、フレームのリーダの期間Ｔｏｎ、Ｔｏｆｆが不正であったり、カスタマーコードが異なるデータビットとなっていたり、補数のデータビットがデータ本体の正しい補数になっていないという状態が挙げられる。
【０１０５】
図１１に示すＭＰＵ２１ａの感度測定部２５ａは、ユーザによる所定の操作によりリモコン５から赤外線の信号が送出されると、受光センサ４１、４２から受信する出力信号のうち、正しいフレーム、すなわちエラーデータではないフレーム（以下、有効データという）の数をカウントする。そして、感度測定部２５ａは、有効データのカウント数を、リモコン５から送出する赤外線の信号の受光感度として測定する。すなわち、感度測定部２５ａによる有効データのカウント数が多い場合、受光感度が強く、カウント数が少ない場合、受光感度が弱いことになる。
【０１０６】
そして、ＭＰＵ２１ａの判定部２６ａは、感度測定部２５ａが測定した受光センサ４１、４２の受光感度を受け取り、受光感度の順位を判定する。
【０１０７】
（最適受光センサを選定する動作について）
図１２は、第２の実施の形態の最適受光センサを選定する動作において投影される投影画像の一例を示す図である。本実施の形態に係るプロジェクタ１ａの最適受光センサを選定する動作について、上述の図７に示すフローチャート、および図１２を参照しながら、第１の実施の形態に係るプロジェクタ１の動作と相違する点を中心に説明する。
【０１０８】
＜ステップＳ１０３＞
プロジェクタ１ａの投影手段１０９は、記憶手段１０５に記憶された、最適受光センサを決定するために必要な操作方法を示す画像データに基づく投影画像（例えば、図１２に示す投影画像５１１）を、スクリーン６に投影する。そして、ステップＳ１０４へ進む。
【０１０９】
＜ステップＳ１０４＞
ユーザは、スクリーン６に投影された最適受光センサを決定するために必要な操作方法を示す投影画像に従って、リモコン５を用いて、感度測定手段１０２による受光手段１０７の受光感度を測定するための所定の操作を行う。所定の操作としては、例えば、図１２に示すように、リモコン５の「１」、「２」、「３」、「４」、「５」のボタンを順に押下する等の操作が挙げられる。そして、プロジェクタ１ａの感度測定手段１０２ａは、複数の受光手段１０７すべてに対して、リモコン５から送出された信号の受光感度を測定する。なお、投影手段１０９が、上述の操作方法を示す投影画像を投影することは必須のものではなく、例えば、ユーザは、プロジェクタ１ａの説明書等を参照して、上述の操作を行うものとしてもよい。そして、ステップＳ１０５へ進む。
【０１１０】
ステップＳ１０１、Ｓ１０２、およびＳ１０５〜Ｓ１１８の動作は、第１の実施の形態に係るプロジェクタ１の動作と同様である。
【０１１１】
第１の実施の形態に係るプロジェクタ１の感度測定部２５（感度測定手段１０２）が、受光センサ４１、４２の内部のＩ／Ｖ変換器４１２から出力される電圧信号を受信して、その電圧信号の電圧レベルを、リモコン５から送出する赤外線の信号の受光感度として測定している。これに対して、本実施の形態に係るプロジェクタ１ａの感度測定部２５ａ（感度測定手段１０２ａ）は、有効データのカウント数を、リモコン５から送出する赤外線の信号の受光感度として測定している。このような構成においても、第１の実施の形態と同様の効果を得ることができる。
【０１１２】
なお、上述の実施の形態のプロジェクタ１のＭＰＵ２１、およびプロジェクタ１ａのＭＰＵ２１ａで実行されるプログラムは、インストール可能な形式または実行可能な形式のファイルでＣＤ−ＲＯＭ、ＣＤ−Ｒ、メモリカード、ＤＶＤ（Ｄｉｇｉｔａｌ  Ｖｅｒｓａｔｉｌｅ  Ｄｉｓｋ）、フレキシブルディスク（ＦＤ）等のコンピュータで読み取り可能な記憶媒体に記憶されて提供される。
【０１１３】
また、上述の実施の形態のプロジェクタ１のＭＰＵ２１、およびプロジェクタ１ａのＭＰＵ２１ａで実行されるプログラムは、インターネット等のネットワークに接続されたコンピュータ上に格納され、ネットワーク経由でダウンロードされることにより提供されるようにしてもよい。また、上述の実施の形態のプロジェクタ１のＭＰＵ２１、およびプロジェクタ１ａのＭＰＵ２１ａで実行されるプログラムは、インターネット等のネットワーク経由で提供または配布されるようにしてもよい。また、上述の実施の形態のプロジェクタ１のＭＰＵ２１、およびプロジェクタ１ａのＭＰＵ２１ａで実行されるプログラムは、ＲＯＭ等に予め組み込んで提供されるようにしてもよい。
【０１１４】
上述の実施の形態のプロジェクタ１のＭＰＵ２１、およびプロジェクタ１ａのＭＰＵ２１ａで実行されるプログラムは、上述したＭＰＵ２１およびＭＰＵ２１ａで実行される各機能をコンピュータ上で実現させるためのモジュール構成となっている。実際のハードウェアとしては、ＭＰＵ２１、２１ａが記憶装置（メモリ２７）からプログラムを読み出して実行することによって、上述の各機能がコンピュータ上で実現されるようになっている。
【符号の説明】
【０１１５】
１、１ａ  プロジェクタ
２  ビデオカメラ
３、４  ＰＣ
５  リモコン
６  スクリーン
７  天井
８  支持部材
１０  光学エンジン
１１  光学フィルタ
１２  マイクロミラーデバイス
１３  レンズ
２０、２０ａ  コントローラ基板
２１、２１ａ  ＭＰＵ
２２  映像・音声インターフェース部
２３  ネットワークインターフェース部
２４  電源制御部
２５、２５ａ  感度測定部
２６、２６ａ  判定部
２７  メモリ
２８  操作パネル
２９  光学制御部
３０  ランプ
４１、４２、４３  受光センサ
５０  システム用電源
６０  ランプ用電源
７０  投影口
１０１  モード制御手段
１０２、１０２ａ  感度測定手段
１０３、１０３ａ  判定手段
１０４  選定手段
１０５  記憶手段
１０６  電源制御手段
１０７  受光手段
１０８  通信手段
１０９  投影手段
２０１、２０２  受光範囲
２２１、２２２  赤外光
４１１  ＰＤ
４１２  Ｉ／Ｖ変換器
４１３  増幅器
４１４  ＢＰＦ
４１５  復調器
４１６  制御回路
４１７  積分器
４１８  比較器
４１９  トランジスタ
４２０  電源
５０１〜５０３、５１１  投影画像
【先行技術文献】
【特許文献】
【０１１６】
【特許文献１】特開２００８−９２０２３号公報
【図１】
2016019191.tif 000003
【図２】
2016019191.tif 000004
【図３】
2016019191.tif 000005
【図４】
2016019191.tif 000006
【図５】
2016019191.tif 000007
【図６】
2016019191.tif 000008
【図７】
2016019191.tif 000009
【図８】
2016019191.tif 000010
【図９】
2016019191.tif 000011
【図１０】
2016019191.tif 000012
【図１１】
2016019191.tif 000013
【図１２】
2016019191.tif 000014